(57)【特許請求の範囲】
【請求項１】
天井を構成する梁間に１対の木製の横架材を架設し該梁と該横架材とで区切られた範囲に断熱材を敷設する天井の断熱材の施工方法であって、
前記横架材に固定される固定片と該固定片に連設され前記断熱材が載置される載置片とを備える支持具を、前記載置片の先端が対向する横架材との間で離間するよう一対の横架材の下端部にそれぞれ設置し、
この後、弾性変形可能な繊維系断熱材により構成された前記断熱材の一側端部を、前記天井の下方から、一方の載置片の先端とこれに対向する横架材との間を通して当該一方の載置片に載置し、
この後、前記断熱材を撓ませながら、他方の側端部を、他方の載置片の先端とこれに対向する横架材との間を通して当該他方の載置片に載置する
ことを特徴とする天井の断熱材の施工方法。
【発明の詳細な説明】
【技術分野】
【０００１】
本発明は、建物の天井の断熱材の施工方法に関するものである。
【背景技術】
【０００２】
従来の建物上部の断熱構造としては、桁上端面上に板材を設置しその上部に断熱材を敷設する桁上断熱、屋根面の裏側に断熱材を敷設する屋根断熱、及び天井の上面に断熱材を敷設する天井断熱等がある。
【０００３】
ところで、桁の上は空調配管やダウンライト等によるスペースを確保する必要がないため桁上断熱は他の工法に比べて断熱工事が容易にできるものである。この桁上断熱は図６に示すように、梁によって形成された天井軸組６の上部に断熱材３を載置するための板材５を設置し、小屋組７を行う前に断熱材３を該板材５上面に敷設することによって断熱工事がなされていた。（例えば特許文献１参照）
【特許文献１】特開平１０−３３１２８０
【発明の開示】
【発明が解決しようとする課題】
【０００４】
しかし上記の施工方法によれば、断熱材３施工時の天候状況によっては断熱材３が風雨に晒されてしまい、断熱材３が劣化することで断熱材本来の機能を発揮できない状態になってしまうという問題がある。さらに、その問題を解消するために天井軸組６の上面に板材５を設置した直後に小屋組７を行い風雨を凌げる状況を確保してから、該板材５に断熱材３を敷設するために設けられた開口部を利用して断熱材３の敷設作業をする施工手段も考えられるが、屋根の勾配が緩やかである場合は板材５と屋根との間の空間が非常に狭いため施工が困難であり、また、開口部縁辺においても作業が非常に困難であるため十分に断熱材３を敷設できなく、作業効率も非常に悪いという問題が生じる。なお、図７中の符号８は野地板、７１は垂木、７２は小屋束を示すものである。
【０００５】
本発明は、上記従来の問題に鑑みて発明したものであって、その目的とするところは、建物の小屋組を行った後であっても断熱材の敷設作業を容易にすることが可能となる天井の断熱材の施工方法を提供することにある。
【課題を解決するための手段】
【０００６】
上記課題を解決するために請求項１に係る発明にあっては、天井を構成する梁１間に１対の木製の横架材２を架設し該梁１と該横架材２とで区切られた範囲に断熱材３を敷設する天井の断熱材の施工方法であって、前記横架材２に固定される固定片４１と該固定片４１に連設され断熱材３が載置される載置片４２とを備える支持具４を、前記載置片４２の先端が対向する横架材２との間で離間するよう一対の横架材２の下端部にそれぞれ設置し、この後、弾性変形可能な繊維系断熱材により構成された前記断熱材３の一側端部３１を、前記天井の下方から、一方の載置片４２の先端とこれに対向する横架材２との間を通して当該一方の前記載置片４２に載置し、この後、前記断熱材３を撓ませながら、他方の側端部３２を、他方の載置片４２の先端とこれに対向する横架材２との間を通して当該他方の載置片４２に載置することを特徴とするものである。
【０００７】
このような構成とすることで、断熱材３施工のための開口部を設ける必要がなくなるのは勿論のこと、断熱材３を載置するための板材５が不要となるものであり、断熱材３の敷設作業の作業性が著しく向上するものである。さらに、断熱材３が天井軸組６内部に収納されるので断熱材３の厚みを増大させても他の構造への影響が少なく高性能の断熱仕様に対応することが可能となるものであり、外観的にも非常に良好となるものである。
【発明の効果】
【０００８】
本発明によれば、天井軸組後であっても容易に天井の断熱材の敷設作業ができるので作業性が著しく向上するものであり、また、断熱材の高度な断熱仕様を実現できるので居住者の冷暖房にかかる費用を大幅に削減することを可能とするものであり、さらには断熱材の形状の設計上の自由度が向上するため断熱材の形状を同形同大とすることができ、断熱材の製造コストをも低減させることを可能とするものである。
【発明を実施するための最良の形態】
【０００９】
以下、本発明について添付図面に基づいて説明する。
【００１０】
本実施形態は、断面長矩形状の梁１にて天井軸組６が構成されており、該軸組６の上方に小屋組７が形成されているが、該小屋組７は和小屋組でも洋小屋組であってもよく特に限定されるものではない。図１に示すとおり、平行して設置される梁１には対の木製の横架材２が架設されており、該横架材２の端部は該梁１側面に固設される。特に図示しないが、該横架材２は梁１の長手方向に複数架設されており、横架材２と梁１からなる上面視略矩形状の区画が梁１の長手方向に連続して並んでいる。該梁１の長手方向に対する該横架材２の取付けピッチＰは夫々略同等になるように取付けることが好ましい。該区画内部には断熱材３が敷設されるため、梁の長手方向の取付けピッチＰを夫々略同等にしておくことで断熱材３の寸法の集約を図ることができ、断熱材３の製造コストの低減を図ることが可能となるからである。
【００１１】
本来このようにして連続して区画が形成されるものであるが、以後の説明は連続して形成される多数の区画のうち一区画について説明することとする。
【００１２】
該梁１と該横架材２の固設方法は、該横架材２の長手方向の端部に面一になるように横架材受け２１を位置させ、梁１の長手方向に２つの横架材受け２１にて横架材２を挟むようにすると共に、該横架材受け２１と横架材２をクギ打ち固定し、さらに面一に形成された該横架材２及び該横架材受け２１の端部を梁１側面に当接して該横架材２と平行する方向にて該横架材受け２１を梁１側面にクギ打ち固定してなるものである。本実施形態では、このようにして該梁１と該横架材２が固設されるものであるが、梁１と横架材２の固設方法は本実施形態に限定されるものではない。
【００１３】
前記横架材２には、該横架材２の長手方向の両端部から内側に位置する箇所の下端部には支持具４が固設されており、該支持具４は固定片４１と固定片４１から連設するように立設される載置片４２とから成ると共に、該支持具４の断面は略Ｌ字形状にて形成されるものである。本実施形態において該支持具４は、金属片からなるものであるが、材質は特に限定されるものではない。さらに該固定片４１には、該横架材２の側面にクギ打ち固定が可能となるように複数の挿通穴が形成されている。このように構成することで、横架材２の側面下端部に支持具４を固設することが可能となる。
【００１４】
本実施形態において該支持具４は断面Ｌ字形状にて形成されているが、特に限定されるものではなく、例えば固定片４１は板材がＬ字形状に屈曲した形状を有し、その屈曲部から載置片４２を突設させ断面略逆Ｔ字状を形成するものであってもよい。このように構成すれば、固定片４１を縦方向と横方向の２面で固定することが出来るのでより強固に固設することが可能となるものである。
【００１５】
前記支持具４の該載置片４２は相対する横架材２に向けて（すなわち、区画された内部に向けて）設置される。このようにして配置された前記載置片４２の上面には例えば繊維系断熱材３が載置され、梁１と横架材２に囲まれた範囲に該断熱材３が敷設されるが、該断熱材３の材質は特に限定されるものではない。該断熱材３の設置方法であるが、図２に示すように、梁１の長手方向に直角な断熱材３の辺の一側端部３１を横架材２に固設してある支持具４の載置片４２に載置し、対向する横架材２に設けられた支持具４の載置片４２先端よりも一側端部３１側に他方の側端部３２を近付けて断熱材３の本体部を撓ませ、且つこの他方の側端部３２を上方に移動させることで、該断熱材３全体をすべての該載置片４２上方に位置させることができ、弾力性を有する該断熱材３はその復元力によってその撓みがもとの状態に戻り、一側端部３１を載置した支持具４に対向する支持具４の載置片４２に断熱材３の他方の側端部３２を載置することができる。このようにして断熱材３をすべての支持具４の載置片４２上面に敷設することができるものであるが、該断熱材３は載置されるのみであっても該支持具４の載置片４２に接着剤にて固着されるものであっても特に限定されるものではない。
【００１６】
このようにして構成することによって、小屋組前に断熱材３を敷設する必要がなくなるので、断熱材３が風雨に晒されることによる劣化を回避することができる。また、従来必要であった天井軸組６上部の断熱材３を載置するための板材５が不要となり、天井軸組６を行った後に行う断熱材３の敷設作業の作業性を著しく向上させると共に、板材５に使用されていたコストの低減を図ることが出来る。さらに、断熱材３の支持具４を梁１の下部に位置させたので、天井軸組６内部に断熱材３を収納することが可能となり、外観の向上のみならず断熱材３の厚みの増大にも対応することができ、断熱仕様の高性能化にも対応することを可能とするものである。
【００１７】
さらに加えて、従来の天井軸組後の断熱材３を敷設するための開口部に比べて断熱材３を搬入するための作業スペースが著しく増大したので、製造時の断熱材３の形状の設計上の自由度が向上し、例えば断熱材３の形状を区画の形状と略同形に設計し、部品点数の減少を図ることも可能となるので、製造コストの低減に資するものでもある。
【００１８】
次に、他の実施形態について図３に基づいて説明する。なお、本実施形態は図１に示す実施形態と大部分において同じであるため、同じ部分については同符号を付して説明を省略し、主に異なる部分について説明する。
【００１９】
本実施形態は、フランジを上下水平とするＨ型鋼１１の上下に木材からなる上下端材１２を夫々ボルト連結にて一体化して形成される梁１にて天井軸組６が構成されている。その梁１に横架材２を架設し断熱材３を敷設するものであるが、その横架材２の固設方法について詳述する。横架材２は該Ｈ型鋼１１の下フランジ部の裏面（すなわち下フランジ部の上面）に載置され、梁１の長手方向には横架材受け２１にて横架材２を挟み梁１の長手方向における横架材２の移動を規制している。横架材受け２１と横架材２はクギ打ち固定等して固定することが好ましく、該横架材受け２１は該Ｈ型鋼１１の上下に形成された木製の上下端材１２にクギ打ち固定して固設されるものである。
【００２０】
該断熱材３は図４に示すように、略矩形状の断熱部３３の裏面（断熱材の下面）には梁１と平行になるように全長に亘って帯状の板状材３４が接着されて形成されるものである。帯状の板状材３４は弾力性を有する板材から成るものであり、支持具４の載置片４２の幅ａと略同じ幅を有すると共に、横架材２に設けてある支持具４の載置片４２の取り付けピッチＱと同等の取り付けピッチにて取り付けられるものであって、要するに、該板状材３４が双方の載置片４２に載置できる間隔にて固設されるものである。本実施形態においては、断熱部３３は繊維系断熱材にて形成され、板状材３４には金属や樹脂といった弾力性を有する材質にて形成されるものであるが、特に限定されるものではない。
【００２１】
図５（ａ）及び図５（ｂ）に示すように、前記板状材３４の長手方向の一方の端面から載置片４２の突出長さｂと略同等の長さだけ接着剤による固定がなされておらず、断熱部３３と板状材３４がその他の部分を接着する接着剤の厚み程度の隙間部Ｓを介して形成されている。
【００２２】
このような構成とすることで、載置片４２が該隙間部Ｓに被嵌されると共に、断熱部３３と板状材３４に挟持されることで該断熱材３（正しくは断熱部３３）が支持具４の載置片４２上面に強固に固設されるものである。
【００２３】
断熱材３の設置方法は前述した実施形態のものと同様に、一側端部３１を支持具４の載置片４２上面に載置させて他方の側端部３２を一側端部３１側に近付けるようにして撓ませ支持具４の載置片４２上面に載置させる（図５（ａ）参照）ものであるが、このとき上述した通り他方の側端部３２に形成された隙間部Ｓを載置片４２に被嵌させ設置するようにする。
【００２４】
なお、上述した２つの実施形態において、横架材２と梁１、支持具４と横架材２はクギ打ちによって固定しているが、例えばねじ等にて固定されるものでもよく特に限定されるものではない。
【００２５】
さらに、上述した２つの実施形態においては、前記横架材２に２つの支持具４を備える構成であったが、その支持具４の固定箇所及び個数は特に限定されるものではなく、横架材２の長さに応じて適宜為し得るものである。
【図面の簡単な説明】
【００２６】
【図１】本発明の実施形態を説明する図であり斜視図を示している。
【図２】同上の断熱材の施工要領を示す図であり断面図を示している。
【図３】本発明の他の実施形態を説明する図であり斜視図を示している。
【図４】同上の断熱材の要部を説明する図であり（ａ）は側面図を示しており（ｂ）は下面図を示している。
【図５】同上の断熱材の施工要領の断面図を示す図であり（ａ）は断熱材を載置する手段を説明しており（ｂ）は断熱材の固定手段を示している。
【図６】従来例を説明する図であり天井軸組後の側面図を示している。
【図７】従来例を説明する図であり断熱材を敷設後の側面図を示している。
【符号の説明】
【００２７】
１      梁
１２    上下端材
２      横架材
２１    横架材受け
３      断熱材
４      支持具
４１    固定片
４２    載置片
Ｐ      横架材の取付けピッチ
Ｑ      支持具の取付けピッチ
【図１】
0005149653.tif 000002
【図２】
0005149653.tif 000003
【図３】
0005149653.tif 000004
【図４】
0005149653.tif 000005
【図５】
0005149653.tif 000006
【図６】
0005149653.tif 000007
【図７】
0005149653.tif 000008